(57)【要約】【課題】コントラストクロックで測定された経過時間が造影剤の何回目の投与に対応するものであるかを知る。【解決手段】投与回数計数部（７２）は、被検体に造影剤を投与してからの経過時間を測定するコントラストクロック（７１）がオンにされる毎に投与回数カウンタをインクリメントし、測定した経過時間に対応する造影剤の投与回数を計数する。【効果】リアルタイムに表示された経過時間が造影剤の何回目の投与に対応するものであるかを知ることが出来る。記録した画像を再生する場合に、画像と共に表示された経過時間が造影剤の何回目の投与に対応するものであるかを知ることが出来る。【選択図】図１
2007301005.tif 000002
【特許請求の範囲】
【請求項１】
超音波探触子と、前記超音波探触子を駆動して被検体内を超音波ビームで走査する送受信手段と、前記走査された被検体からの受信データを基に画像を生成する画像生成手段と、被検体に造影剤を投与してからの経過時間を測定するコントラストクロックと、前記経過時間に対応する造影剤の投与回数を計数する投与回数計数手段と、前記画像および前記経過時間および前記投与回数を表示する表示手段とを具備したことを特徴とする超音波診断装置。
【請求項２】
請求項１に記載の超音波診断装置において、前記画像および前記経過時間および前記投与回数を記録する記録手段を具備したことを特徴とする超音波診断装置。
【請求項３】
請求項１または請求項２に記載の超音波診断装置において、前記投与回数計数手段は、コントラストクロックがオンにされた回数を計数することを特徴とする超音波診断装置。
【請求項４】
請求項１または請求項２に記載の超音波診断装置において、前記投与回数計数手段は、造影剤投与器で造影剤を投与した回数を計数することを特徴とする超音波診断装置。
【請求項５】
請求項１から請求項４のいずれかに記載の超音波診断装置において、前記投与回数計数手段は、前記コントラストクロックがオフにされた時の前記経過時間が所定の設定時間より短い場合は当該回を計上しないことを特徴とする超音波診断装置。
【請求項６】
請求項１から請求項５のいずれかに記載の超音波診断装置において、前記投与回数計数手段は、１回の検査で造影剤を複数回投与する超音波造影検査毎に投与回数を計数することを特徴とする超音波診断装置。
【請求項７】
請求項１から請求項６のいずれかに記載の超音波診断装置において、前記投与回数計数手段は、被検体毎に投与回数を計数することを特徴とする超音波診断装置。
【請求項８】
請求項１から請求項７のいずれかに記載の超音波診断装置において、前記投与回数計数手段は、１日の稼働開始からの投与回数を計数することを特徴とする超音波診断装置。
【請求項９】
請求項１から請求項８のいずれかに記載の超音波診断装置において、前記投与回数計数手段は、装置の稼働開始からの投与回数を計数することを特徴とする超音波診断装置。
【発明の詳細な説明】
【技術分野】
【０００１】
本発明は、超音波診断装置に関し、さらに詳しくは、コントラストクロックで測定された経過時間が何回目の造影剤の投与に対応するものであるかを知ることが出来る超音波診断装置に関する。
【背景技術】
【０００２】
従来の超音波診断装置では、コントラストクロックにより、被検体に造影剤を投与してからの経過時間を知ることが出来た（例えば、特許文献１参照。）。
【特許文献１】特開２００６−２０７１０号公報
【発明の開示】
【発明が解決しようとする課題】
【０００３】
超音波造影検査では、１回の検査で造影剤を複数回投与するのが一般的である。
しかし、従来の超音波診断装置では、コントラストクロックで測定された経過時間が何回目の造影剤の投与に対応するものであるかを知ることが出来ない問題点があった。
そこで、本発明の目的は、コントラストクロックで測定された経過時間が何回目の造影剤の投与に対応するものであるかを知ることが出来る超音波診断装置を提供することにある。
【課題を解決するための手段】
【０００４】
第１の観点では、本発明は、超音波探触子と、前記超音波探触子を駆動して被検体内を超音波ビームで走査する送受信手段と、前記走査された被検体からの受信データを基に画像を生成する画像生成手段と、被検体に造影剤を投与してからの経過時間を測定するコントラストクロックと、前記経過時間に対応する造影剤の投与回数を計数する投与回数計数手段と、前記画像および前記経過時間および前記投与回数を表示する表示手段とを具備したことを特徴とする超音波診断装置を提供する。
上記第１の観点による超音波診断装置では、経過時間に対応する造影剤の投与回数を投与回数計数手段により計数する。これにより、コントラストクロックで測定された経過時間が何回目の造影剤の投与に対応するものであるかを知ることが出来る。
【０００５】
第２の観点では、本発明は、前記第１の観点による超音波診断装置において、前記画像および前記経過時間および前記投与回数を記録する記録手段を具備したことを特徴とする超音波診断装置を提供する。
上記第２の観点による超音波診断装置では、画像および経過時間だけでなく、投与回数も記録手段により記録する。これにより、記録した画像および経過時間を再生した時に、経過時間が何回目の造影剤の投与に対応するものであるかを知ることが出来る。
【０００６】
第３の観点では、本発明は、前記第１または前記第２の観点による超音波診断装置において、前記投与回数計数手段は、コントラストクロックがオンにされた回数を計数することを特徴とする超音波診断装置を提供する。
超音波造影検査では、造影剤の投与開始時にコントラストクロックがオンにされる。
そこで、上記第３の観点による超音波診断装置では、コントラストクロックがオンにされた回数を投与回数として計数する。
【０００７】
第４の観点では、本発明は、前記第１または前記第２の観点による超音波診断装置において、前記投与回数計数手段は、造影剤投与器で造影剤を投与した回数を計数することを特徴とする超音波診断装置を提供する。
超音波造影検査では、造影剤投与器で造影剤を投与することもある。
そこで、上記第４の観点による超音波診断装置では、造影剤投与器で造影剤を投与した回数を投与回数として計数する。
【０００８】
第５の観点では、本発明は、前記第１から前記第４のいずれかの観点による超音波診断装置において、前記投与回数計数手段は、前記コントラストクロックがオフにされた時の前記経過時間が所定の設定時間より短い場合は当該回を計上しないことを特徴とする超音波診断装置を提供する。
コントラストクロックが誤操作でオンにされる場合があるが、このような場合は直ちにコントラストクロックがオフに戻されることが多い。つまり、経過時間が通常より短いなら、誤操作の可能性が高い。
そこで、上記第５の観点による超音波診断装置では、経過時間が所定の設定時間（例えば１０秒）より短い場合は、当該回を計上しない。
【０００９】
第６の観点では、本発明は、前記第１から前記第５のいずれかの観点による超音波診断装置において、前記投与回数計数手段は、１回の検査で造影剤を複数回投与する超音波造影検査毎に投与回数を計数することを特徴とする超音波診断装置を提供する。
上記第６の観点による超音波診断装置では、１回の検査毎の造影剤の投与回数を計数できる。
【００１０】
第７の観点では、本発明は、前記第１から前記第６のいずれかの観点による超音波診断装置において、前記投与回数計数手段は、被検体毎に投与回数を計数することを特徴とする超音波診断装置を提供する。
上記第７の観点による超音波診断装置では、被検体毎の造影剤の通算投与回数を計数できる。
【００１１】
第８の観点では、本発明は、前記第１から前記第７のいずれかの観点による超音波診断装置において、前記投与回数計数手段は、１日の稼働開始からの投与回数を計数することを特徴とする超音波診断装置を提供する。
上記第８の観点による超音波診断装置では、日毎の造影剤の通算投与回数を計数できる。
【００１２】
第９の観点では、本発明は、前記第１から前記第８のいずれかの観点による超音波診断装置において、前記投与回数計数手段は、装置の稼働開始からの投与回数を計数することを特徴とする超音波診断装置を提供する。
上記第９の観点による超音波診断装置では、その装置における造影剤の通算投与回数を計数できる。
【発明の効果】
【００１３】
本発明の超音波診断装置によれば、コントラストクロックで測定された経過時間が何回目の造影剤の投与に対応するものであるかを知ることが出来る。
【発明を実施するための最良の形態】
【００１４】
以下、図に示す実施の形態により本発明をさらに詳細に説明する。なお、これにより本発明が限定されるものではない。
【実施例１】
【００１５】
図１は、実施例１に係る超音波診断装置１００の構成説明図である。
この超音波診断装置１００は、超音波探触子１と、超音波探触子１を駆動して被検体内を面的に超音波ビームで走査する送受信部２と、一つの走査面から得られた受信データを基に画像を生成する画像生成部３と、画像を表示する画像表示部４と、操作者が指示やデータを与えるための入力部６と、全体の動作を制御する制御部７と、画像を記録する記録部８とを具備している。
制御部７は、被検体に造影剤を投与してからの経過時間を測定するコントラストクロック７１と、経過時間に対応する造影剤の投与回数を計数する投与回数計数部７２とを含んでいる。
画像表示部４は、経過時間および投与回数の表示も行う。
記録部８は、画像に対応させて経過時間および投与回数の記録も行う。
【００１６】
図２は、超音波診断装置１００による投与回数計数処理を示すフロー図である。
ステップＳ１では、次の条件に従って投与回数カウンタの初期値を変更するか否かを判定し、変更するならステップＳ２へ進み、変更しないならステップＳ３へ進む。
（ａ）検査毎の投与回数カウンタは、検査の開始時なら変更し、それ以外なら変更しない。
（ｂ）被検体毎の投与回数カウンタは、新規の被検体なら変更し、それ以外なら変更しない。
（ｃ）日毎の投与回数カウンタは、１日の最初なら変更し、それ以外なら変更しない。
（ｄ）装置の通算の投与回数カウンタは、変更しない。
【００１７】
ステップＳ２では、検査毎の投与回数カウンタ、被検体毎の投与回数カウンタおよび日毎の投与回数カウンタを「０」にクリアする。
【００１８】
ステップＳ３では、コントラストクロック７１がオンにされるまで待ち、オンにされたらステップＳ４へ進む。
ステップＳ４では、全ての投与回数カウンタを「１」だけインクリメントする。
ステップＳ５では、図３に示すように、検査毎の投与回数カウンタの計数値Ｄａ、被検体毎の投与回数カウンタの計数値Ｄｂ、日毎の投与回数カウンタの計数値Ｄｃおよび装置の通算の投与回数カウンタの計数値Ｄｄを画面に表示する。なお、Ｃｔは投与毎の経過時間であり、Ｃａは１回目の投与からの経過時間である。
【００１９】
ステップＳ６では、コントラストクロック７１がオフにされるまで待ち、オフにされたらステップＳ７へ進む。
ステップＳ７では、コントラストクロック７１のオンからオフまでの経過時間が所定の設定時間（例えば１０秒）より短い場合はステップＳ８へ進み、そうでないならステップＳ９へ進む。
ステップＳ８では、全ての投与回数カウンタを「１」だけデクリメントする。
【００２０】
ステップＳ９では、投与回数カウンタの計数値を変更するか否かを操作者に問い合わせて、変更する指示があればステップＳ１０へ進み、変更しない指示があるか又は一定時間内に変更する指示がないならステップＳ３に戻る。
【００２１】
図４は、１０回目の投与後の画面を示す表示例である。
【００２２】
実施例１の超音波診断装置１００によれば、リアルタイムに表示された経過時間Ｃｔが造影剤の何回目の投与に対応するものであるかを知ることが出来る。また、記録部８に記録した画像を再生する場合に、画像と共に表示された経過時間Ｃｔが造影剤の何回目の投与に対応するものであるかを知ることが出来る。
【実施例２】
【００２３】
図５に示すように造影剤投与器８で造影剤を投与する場合、図６に示すステップＳ３’，Ｓ４のように造影剤投与器８へ投与開始指令を与えたことを検知して投与回数カウンタをインクリメントしてもよい。
【実施例３】
【００２４】
検査毎の投与回数カウンタ、被検体毎の投与回数カウンタ、日毎の投与回数カウンタおよび装置の通算の投与回数カウンタの全てを備える必要はなく、これらのうちの少なくとも一つだけを備えていてもよい。
【産業上の利用可能性】
【００２５】
本発明の超音波診断装置は、超音波造影検査に利用できる。
【図面の簡単な説明】
【００２６】
【図１】実施例１に係る超音波診断装置を示す構成説明図である。
【図２】実施例１に係る投与回数計数処理を示すフロー図である。
【図３】実施例１に係る画面表示を示す例示図ある。
【図４】実施例１に係る画面表示を示す別の例示図ある。
【図５】実施例２に係る超音波診断装置を示す構成説明図である。
【図６】実施例２に係る投与回数計数処理を示すフロー図である。
【符号の説明】
【００２７】
１                  超音波探触子
２                  送受信部
３                  画像生成部
４                  画像表示部
６                  操作部
７                  制御部
７１                コントラストクロック
７２                投与回数計数部
８                  造影剤投与器
１００              超音波診断装置
【図１】
2007301005.tif 000003
【図２】
2007301005.tif 000004
【図３】
2007301005.tif 000005
【図４】
2007301005.tif 000006
【図５】
2007301005.tif 000007
【図６】
2007301005.tif 000008